(57)【要約】【課題】  印刷物の地汚れ検出方法及び装置及び印刷物の地汚れの発生を抑制する印刷機の制御方法及び装置に関し、高精度に地汚れの色を判定することができるようにして、他の不具合を招くことなく地汚れの発生を抑制することができるようにする。【解決手段】  ＩＲＧＢ濃度計１を用いて、印刷物の非画線部のインキ汚れの実混色網濃度Ｉ，Ｒ，Ｇ，Ｂを計測し、網点面積率と混色網濃度との対応関係に基づき、実混色網濃度Ｉ，Ｒ，Ｇ，Ｂに対応する各インキ色の実網点面積率ｋ，ｃ，ｍ，ｙを求め、この各インキ色の実網点面積率を、予め設定された閾値と比較して、該実網点面積率が該閾値を超えたインキ色があれば、該閾値を超えたインキ色の汚れがあるものと判定し、湿し水供給装置７０を制御して湿し水量を調整する。【選択図】        図３
2006168348.tif 000002
【特許請求の範囲】
【請求項１】
ＩＲＧＢ濃度計を用いて、印刷物の非画線部におけるインキ汚れの実混色網濃度を計測する実混色網濃度計測ステップと、
予め設定した網点面積率と混色網濃度との対応関係に基づき、上記実混色網濃度に対応する各インキ色の実網点面積率を求める実網点面積率演算ステップと、
上記の各インキ色の実網点面積率を、予め設定された閾値と比較して、該実網点面積率が該閾値を超えたインキ色があれば、該閾値を超えたインキ色の汚れがあるものと判定する汚れ判定ステップと、をそなえた
ことを特徴とする、印刷物の地汚れ検出方法。
【請求項２】
上記実混色網濃度計測ステップでは、該印刷物の非画線部のうち、該印刷物の画線部に隣接した所定距離内にある部分を除いて計測エリアを設定し、該計測エリアに対して該実混色網濃度を計測する
ことを特徴とする、請求項１記載の印刷物の地汚れ検出方法。
【請求項３】
上記の網点面積率と混色網濃度との対応関係は、ノイゲバウアー式で規定される対応関係であり、
上記実網点面積率演算ステップでは、上記実混色網濃度計測ステップで計測された実混色網濃度を該ノイゲバウアー式に代入することにより、上記実混色網濃度に対応する各インキ色の実網点面積率を求める
ことを特徴とする、請求項１又は２記載の印刷物の地汚れ検出方法。
【請求項４】
該ノイゲバウアー式は、ｋ，ｃ，ｍ，ｙのベタ及びこれらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めたベタ濃度値が代入されて構築されている
ことを特徴とする、請求項３記載の印刷物の地汚れ検出方法。
【請求項５】
該ノイゲバウアー式は、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めた網濃度値が代入されて構築されている
ことを特徴とする、請求項３記載の印刷物の地汚れ検出方法。
【請求項６】
上記の網点面積率と混色網濃度との対応関係は、ノイゲバウアー式にユールニールセン式を取り込んだ拡張ノイゲバウアー式で規定される対応関係であり、
上記実網点面積率演算ステップでは、上記実混色網濃度計測ステップで計測された実混色網濃度を該拡張ノイゲバウアー式に代入することにより、上記実混色網濃度に対応する各インキ色の実網点面積率を求める
ことを特徴とする、請求項１又は２記載の印刷物の地汚れ検出方法。
【請求項７】
該拡張ノイゲバウアー式は、ｋ，ｃ，ｍ，ｙのベタ及びこれらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めたベタ濃度値が代入されて構築されている
ことを特徴とする、請求項６記載の印刷物の地汚れ検出方法。
【請求項８】
該拡張ノイゲバウアー式は、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めた網濃度値が代入されて構築されている
ことを特徴とする、請求項６記載の印刷物の地汚れ検出方法。
【請求項９】
請求項１〜８の何れか１項に記載の各ステップと、
該印刷物に何れかのインキ色の地汚れがあるかが判定されたら、該当するインキ色の印刷ユニットの湿し水供給手段を制御して湿し水供給量を地汚れ抑制側に調整する湿し水供給量調整ステップと、をそなえている
ことを特徴とする、印刷機の制御方法。
【請求項１０】
上記湿し水供給手段は、印刷胴の軸方向に分割された複数のエリア単位で湿し水供給量を調整可能なものであって、
上記実網点面積率演算ステップでは、上記のエリア単位に応じた領域毎に各インキ色の実網点面積率を求め、
上記汚れ判定ステップでは、上記のエリア単位に応じた領域毎に各インキ色の汚れを判定し、
上記湿し水供給量調整ステップでは、上記のエリア単位で湿し水供給量を調整する
ことを特徴とする、請求項９記載の印刷機の制御方法。
【請求項１１】
上記湿し水供給量調整ステップでは、インキの汚れが判定されると、湿し水供給量を所定量だけ増大させる
ことを特徴とする、請求項９又は１０記載の印刷機の制御方法。
【請求項１２】
該湿し水供給量には上限値が設定され、上記湿し水供給量調整ステップでは、該上限値内で湿し水供給量の増大制御を行なう
ことを特徴とする、請求項１１記載の印刷機の制御方法。
【請求項１３】
該湿し水供給量調整ステップを一度実施した後は、予め設定された枚数分だけ印刷が行なわれるのを待ってから該汚れ判定ステップを実施する
ことを特徴とする、請求項９〜１２の何れか１項に記載の印刷機の制御方法。
【請求項１４】
印刷で得られる印刷シートの走行ライン上に配置されたＩＲＧＢ濃度計と、
上記ＩＲＧＢ濃度計を操作して上記印刷シートの実混色網濃度を計測する混色網濃度計測手段と、
予め設定した網点面積率と混色網濃度との対応関係に基づき、上記実混色網濃度に対応する各インキ色の実網点面積率を求める実網点面積率演算手段と、
上記の各インキ色の実網点面積率を予め設定された閾値と比較して、該実網点面積率が該閾値を超えたインキ色があれば、該閾値を超えたインキ色の汚れがあるものと判定する汚れ判定手段とをそなえている
ことを特徴とする、印刷物の地汚れ検出装置。
【請求項１５】
上記混色網濃度計測手段では、該印刷物の非画線部のうち、該印刷物の画線部に隣接した所定距離内にある部分を除いて計測エリアを設定し、該計測エリアに対して該実混色網濃度を計測する
ことを特徴とする、請求項１４記載の印刷物の地汚れ検出装置。
【請求項１６】
上記の網点面積率と混色網濃度との対応関係は、ノイゲバウアー式で規定される対応関係であり、
上記実網点面積率演算手段が、上記混色網濃度計測手段により計測された実混色網濃度を該ノイゲバウアー式に代入することにより、上記実混色網濃度に対応する各インキ色の実網点面積率を求める
ことを特徴とする、請求項１４又は１５記載の印刷物の地汚れ検出装置。
【請求項１７】
該ノイゲバウアー式は、ｋ，ｃ，ｍ，ｙのベタ及びこれらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めたベタ濃度値が代入されて構築されている
ことを特徴とする、請求項１６記載の印刷物の地汚れ検出装置。
【請求項１８】
該ノイゲバウアー式は、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めた網濃度値が代入されて構築されている
ことを特徴とする、請求項１６記載の印刷物の地汚れ検出装置。
【請求項１９】
上記の網点面積率と混色網濃度との対応関係は、ノイゲバウアー式にユールニールセン式を取り込んだ拡張ノイゲバウアー式で規定される対応関係であり、
上記実網点面積率演算手段が、上記実混色網濃度計測手段により計測された実混色網濃度を該拡張ノイゲバウアー式に代入することにより、上記実混色網濃度に対応する各インキ色の実網点面積率を求める
ことを特徴とする、請求項１４又は１５記載の印刷物の地汚れ検出装置。
【請求項２０】
該拡張ノイゲバウアー式は、ｋ，ｃ，ｍ，ｙのベタ及びこれらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めたベタ濃度値が代入されて構築されている
ことを特徴とする、請求項１９記載の印刷物の地汚れ検出装置。
【請求項２１】
該拡張ノイゲバウアー式は、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めた網濃度値が代入されて構築されている
ことを特徴とする、請求項１９記載の印刷物の地汚れ検出装置。
【請求項２２】
請求項１４〜２１の何れか１項に記載の印刷物の地汚れ検出装置と、
印刷胴に供給する湿し水供給量を調整可能な湿し水供給手段と、
該地汚れ検出装置により、該印刷物に何れかのインキ色の地汚れがあるかが判定されたら、該当するインキ色の印刷ユニットの湿し水供給量が地汚れ抑制側になるように湿し水供給手段を制御する制御手段と、をそなえている
ことを特徴とする、印刷機の制御装置。
【請求項２３】
上記湿し水供給手段は、印刷胴の軸方向に分割された複数のエリア単位で湿し水供給量を調整可能なものであって、
上記実網点面積率演算手段では、上記のエリア単位に応じた領域毎に各インキ色の実網点面積率を求め、
上記汚れ判定手段では、上記のエリア単位に応じた領域毎に各インキ色の汚れを判定し、
上記制御手段では、上記湿し水供給装置に対し上記のエリア単位で湿し水供給量を調整する
ことを特徴とする、請求項２２記載の印刷機の制御装置。
【請求項２４】
上記制御手段は、インキの汚れが判定されると、湿し水供給量を所定量だけ増大させることを特徴とする、請求項２２又は２３記載の印刷機の制御装置。
【請求項２５】
該湿し水供給量には上限値が設定され、上記制御手段は、該上限値内で湿し水供給量の増大制御を行なう
ことを特徴とする、請求項２４記載の印刷機の制御装置。
【請求項２６】
該湿し水供給量調整手段が該湿し水供給量の調整を一度実施した後は、予め設定された枚数分だけ印刷が行なわれるのを待ってから該汚れ判定手段による汚れ判定を実施する
ことを特徴とする、請求項２２〜２５の何れか１項に記載の印刷機の制御装置。
【発明の詳細な説明】
【技術分野】
【０００１】
本発明は、印刷物の地汚れを検出する地汚れ検出方法及び装置、並びに、かかる地汚れを検出方法及び装置を用いて印刷物の地汚れの発生を抑制する印刷機の制御方法及び装置に関する。
【背景技術】
【０００２】
インキを使って印刷を行なう場合、図７に示すように、本来インキを付着させてはならない印刷紙の地の部分にインキが付着することによる汚れ（以下、地汚れ又はインキ汚れともいう）が発生することがある。図７中では、地汚れ６３が印刷画像６０の白紙エリア（非画線部）６２に発生している状態を誇張して示すが、地汚れ６３は絵柄エリア（画線部）６１にも発生する。このような地汚れの発生は、印刷胴（版胴，ブランケット胴）への湿し水の供給量が不足していることが原因の場合が多く、湿し水の供給量を増加させることで抑制することができる場合が多い。
【０００３】
印刷が単色インキを使っている場合は簡単であるが、例えば、フルカラー印刷の場合、墨色（ブラックｋ），藍色（シアンｃ），紅色（マゼンタｍ）,黄色（イエローｙ）の４色のインキが用いられるため、地汚れのインキが何色なのかを特定して、特定したインキにかかる印刷ユニットの印刷胴への湿し水の供給量を増加させることが必要になる。
そこで、オペレータが印刷物をチェックして、地汚れが発生したら何色が汚れているかを目視により判断して、汚れている印刷ユニットの湿し水の供給量を増加させることで対応することができる。
【発明の開示】
【発明が解決しようとする課題】
【０００４】
しかしながら、オペレータの目視により地汚れを検出する方法では、オペレータが地汚れを見落とせば、その後地汚れを検出するまでの間の印刷物は全て損紙となってしまう。特に、高品質の印刷物が要求される場合、僅かな地汚れがあっても正紙とはできず損紙にせざるを得ないため、コスト増や印刷時間の増加を招いてしまう。
もちろん、オペレータが高い精度で目視によるチェックを行なえば、これらの不具合を抑制できるが、僅かな地汚れの検出は容易ではなく、オペレータへの負担が極めて大きくなってしまう。
【０００５】
また、地汚れを検出することができても、何色が汚れているかを判断することが難しい場合もある。例えば、墨色と藍色，紅色又は黄色とが重なって汚れた場合、墨色以外を見落としてしまう場合がある。
また、地汚れの発生を抑えるには、湿し水の供給量を増加させることが有効であるが、湿し水の供給を増加させ過ぎると過乳化となり、インキが湿し水中に溶出し画像部と非画像部の境界に滲みが発生するいわゆる浮き汚れや、インキローラにインキが付着しないというローラストリッピング現象等の不具合を招いてしまう。
【０００６】
本発明はこのような課題に鑑み案出されたもので、オペレータに頼ることなく、高精度に地汚れの色を判定することができるようにして、他の不具合を招くことなく地汚れの発生を抑制することができるようにした、印刷物の地汚れ検出方法及び装置並びに印刷機の制御方法及び装置を提供することを目的とする。
【課題を解決するための手段】
【０００７】
上記目標を達成するため、本発明の印刷物の地汚れ検出方法は、ＩＲＧＢ濃度計を用いて、印刷物の非画線部にインキ汚れがあるかを検出しインキ汚れがある該インキ汚れの実混色網濃度を計測する実混色網濃度計測ステップと、予め設定した網点面積率と混色網濃度との対応関係に基づき、上記実混色網濃度に対応する各インキ色の実網点面積率を求める実網点面積率演算ステップと、上記の各インキ色の実網点面積率を、予め設定された閾値と比較して、該実網点面積率が該閾値を超えたインキ色があれば、該閾値を超えたインキ色の汚れがあるものと判定する汚れ判定ステップと、をそなえたことを特徴としている（請求項１）。
【０００８】
上記混色網濃度計測ステップでは該印刷物の非画線部のうち、該印刷物の画線部に隣接した所定距離内にある部分を除いて計測エリアを設定し、該計測エリアに対して該実混色網濃度を計測することが好ましい（請求項２）。この際、計測エリアの設定は、予め入手された製版データに基づいて行なってもよく、ＯＫシート時の画像を見てこれに基づいて行なってもよい。
【０００９】
また、上記の網点面積率と混色網濃度との対応関係は、ノイゲバウアー式で規定される対応関係であり、上記実網点面積率演算ステップでは、上記実混色網濃度計測ステップで計測された実混色網濃度を該ノイゲバウアー式に代入することにより、上記実混色網濃度に対応する各インキ色の実網点面積率を求めることが好ましい（請求項３）。
この場合、該ノイゲバウアー式は、ｋ，ｃ，ｍ，ｙのベタ及びこれらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めたベタ濃度値が代入されて構築されていることが好ましい（請求項４）。あるいは、該ノイゲバウアー式は、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めた網濃度値が代入されて構築されていることが好ましい（請求項５）。
【００１０】
また、上記の網点面積率と混色網濃度との対応関係は、ノイゲバウアー式にユールニールセン式を取り込んだ拡張ノイゲバウアー式で規定される対応関係であり、上記実網点面積率演算ステップでは、上記実混色網濃度計測ステップで計測された実混色網濃度を該拡張ノイゲバウアー式に代入することにより、上記実混色網濃度に対応する各インキ色の実網点面積率を求めることが好ましい（請求項６）。この場合、該拡張ノイゲバウアー式は、ｋ，ｃ，ｍ，ｙのベタ及びこれらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めたベタ濃度値が代入されて構築されていることが好ましい（請求項７）。あるいは、該拡張ノイゲバウアー式は、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めた網濃度値が代入されて構築されていることが好ましい（請求項８）。
【００１１】
本発明の印刷機の制御方法は、請求項１〜８の何れか１項に記載の各ステップと、該印刷物に何れかのインキ色の地汚れがあるかが判定されたら、該当するインキ色の印刷ユニットの湿し水供給手段を制御して湿し水供給量を地汚れ抑制側（基本的には、増量側）に調整する湿し水供給量調整ステップと、をそなえていることを特徴としている（請求項９）。
【００１２】
上記湿し水供給手段は、印刷胴の軸方向に分割された複数のエリア単位で湿し水供給量を調整可能なものであって、上記実網点面積率演算ステップでは、上記のエリア単位に応じた領域毎に各インキ色の実網点面積率を求め、上記汚れ判定ステップでは、上記のエリア単位に応じた領域毎に各インキ色の汚れを判定し、上記湿し水供給量調整ステップでは、上記のエリア単位で湿し水供給量を調整することが好ましい（請求項１０）。
【００１３】
また、上記湿し水供給量調整ステップでは、インキの汚れが判定されると、湿し水供給量を所定量だけ増大させることが好ましい（請求項１１）。
さらに、該湿し水供給量には上限値が設定され、上記湿し水供給量調整ステップでは、該上限値内で湿し水供給量の増大制御を行なうことが好ましい（請求項１２）。
また、該湿し水供給量調整ステップを一度実施した後は、予め設定された枚数分だけ印刷が行なわれるのを待ってから該汚れ判定ステップを実施することが好ましい（請求項１３）。
【００１４】
本発明の印刷物の地汚れ検出装置は、印刷で得られる印刷シートの走行ライン上に配置されたＩＲＧＢ濃度計と、上記ＩＲＧＢ濃度計を操作して上記印刷シートの実混色網濃度を計測する混色網濃度計測手段と、予め設定した網点面積率と混色網濃度との対応関係に基づき、上記実混色網濃度に対応する各インキ色の実網点面積率を求める実網点面積率演算手段と、上記の各インキ色の実網点面積率を予め設定された閾値と比較して、該実網点面積率が該閾値を超えたインキ色があれば、該閾値を超えたインキ色の汚れがあるものと判定する汚れ判定手段とをそなえていることを特徴としている（請求項１４）。
【００１５】
上記混色網濃度計測手段では、予め入手された製版データに基づいて、該印刷物の非画線部のうち、該印刷物の画線部に隣接した所定距離内にある部分を除いて計測エリアを設定し、該計測エリアに対して該実混色網濃度を計測することが好ましい（請求項１５）。この際、上述のように、計測エリアの設定は、予め入手された製版データに基づいて行なってもよく、ＯＫシート時の画像を見てこれに基づいて行なってもよい。
【００１６】
上記の網点面積率と混色網濃度との対応関係は、ノイゲバウアー式で規定される対応関係であり、上記実網点面積率演算手段が、上記混色網濃度計測手段により計測された実混色網濃度を該ノイゲバウアー式に代入することにより、上記実混色網濃度に対応する各インキ色の実網点面積率を求めることが好ましい（請求項１６）。この場合、該ノイゲバウアー式は、ｋ，ｃ，ｍ，ｙのベタ及びこれらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めたベタ濃度値が代入されて構築されていることが好ましい（請求項１７）。あるいは、該ノイゲバウアー式は、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めた網濃度値が代入されて構築されていることが好ましい（請求項１８）。
【００１７】
上記の網点面積率と混色網濃度との対応関係は、ノイゲバウアー式にユールニールセン式を取り込んだ拡張ノイゲバウアー式で規定される対応関係であり、上記実網点面積率演算手段が、上記実混色網濃度計測手段により計測された実混色網濃度を該拡張ノイゲバウアー式に代入することにより、上記実混色網濃度に対応する各インキ色の実網点面積率を求めることが好ましい（請求項１９）。この場合、該拡張ノイゲバウアー式は、ｋ，ｃ，ｍ，ｙのベタ及びこれらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めたベタ濃度値が代入されて構築されていることが好ましい（請求項２０）。あるいは、該拡張ノイゲバウアー式は、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予め該ＩＲＧＢ濃度計を使って求めた網濃度値が代入されて構築されていることが好ましい（請求項２１）。
【００１８】
本発明の印刷機の制御装置は、請求項１４〜２１の何れか１項に記載の印刷物の地汚れ検出装置と、印刷胴に供給する湿し水供給量を調整可能な湿し水供給手段と、該地汚れ検出装置により、該印刷物に何れかのインキ色の地汚れがあるかが判定されたら、該当するインキ色の印刷ユニットの湿し水供給量が地汚れ抑制側になるように湿し水供給手段を制御する制御手段と、をそなえていることを特徴としている（請求項２２）。
【００１９】
上記湿し水供給手段は、印刷胴の軸方向に分割された複数のエリア単位で湿し水供給量を調整可能なものであって、上記実網点面積率演算手段では、上記のエリア単位に応じた領域毎に各インキ色の実網点面積率を求め、上記汚れ判定手段では、上記のエリア単位に応じた領域毎に各インキ色の汚れを判定し、上記制御手段では、上記湿し水供給装置に対し上記のエリア単位で湿し水供給量を調整することが好ましい（請求項２３）。
【００２０】
上記制御手段は、インキの汚れが判定されると、湿し水供給量を所定量だけ増大させることが好ましい（請求項２４）。
該湿し水供給量には上限値が設定され、上記制御手段は、該上限値内で湿し水供給量の増大制御を行なうことが好ましい（請求項２５）。
また、該湿し水供給量調整手段が該湿し水供給量の調整を一度実施した後は、予め設定された枚数分だけ印刷が行なわれるのを待ってから該汚れ判定手段による汚れ判定を実施することが好ましい（請求項２６）。
【発明の効果】
【００２１】
本発明の印刷物の地汚れ検出方法（請求項１），装置（請求項８）によれば、複数のインキが重なった汚れが生じても、どのインキによる汚れかを容易にしかも確実に判定することができる。また、印刷物の非画線部（つまり、白紙部分）に着目して汚れを検出するので、検出精度が高い。
印刷物の非画線部のうち、印刷物の画線部に所定距離内に隣接した部分を除いて計測エリアを設定し、実混色網濃度を計測することにより、隣接する画線部を誤って汚れと判定する不具合を防止することができる（請求項２，１５）。
【００２２】
また、網点面積率と混色網濃度との対応関係は、ノイゲバウアー式で規定される対応関係であり、実混色網濃度をノイゲバウアー式に代入することにより、実混色網濃度に対応する各インキ色の実網点面積率を求めるので、演算により実混色網濃度から容易に実網点面積率を求めることができる（請求項３，１６）。このとき、ノイゲバウアー式が、ｋ，ｃ，ｍ，ｙのベタ及びこれらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予めＩＲＧＢ濃度計を使って求めたベタ濃度値が代入されて構築されていれば、ベタ濃度値に対応した色空間内で実網点面積率を算出することができる（請求項４，１７）。また、ノイゲバウアー式が、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予めＩＲＧＢ濃度計を使って求めた網濃度値が代入されて構築されていれば、網濃度値に対応した色空間内で実網点面積率を算出することができる。すなわち、ベタ濃度値に対応した色空間よりも小さい色空間内で精度良く実網点面積率を算出することができ、これにより、より薄い地汚れも検出できる（請求項５，１８）。
【００２３】
網点面積率と混色網濃度との対応関係は、ノイゲバウアー式にユールニールセン式を取り込んだ拡張ノイゲバウアー式で規定される対応関係であり、実混色網濃度を該拡張ノイゲバウアー式に代入することにより、実混色網濃度に対応する各インキ色の実網点面積率を求めるので、演算により実混色網濃度から容易に実網点面積率を求めることができ、また、濃い地汚れが発生した場合、演算により求められる網点面積率が１００％以上になっても網点面積率の解が存在し、正確な実網点面積率を算出することができる（請求項６，１９）。このとき、拡張ノイゲバウアー式が、ｋ，ｃ，ｍ，ｙのベタ及びこれらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予めＩＲＧＢ濃度計を使って求めたベタ濃度値が代入されて構築されていれば、ベタ濃度値に対応した色空間内で実網点面積率を算出することができる（請求項７，２０）。また、拡張ノイゲバウアー式が、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予めＩＲＧＢ濃度計を使って求めた網濃度値が代入されて構築されていれば、網濃度値に対応した色空間内で実網点面積率を算出することができる。すなわち、ベタ濃度値に対応した色空間よりも小さい色空間内で実網点面積率を精度良く算出することができ、これにより、より薄い地汚れも検出できる（請求項８，２１）。
【００２４】
本発明の印刷機の制御方法（請求項９），装置（請求項２２）によれば、どの色の印刷ユニットが地汚れを発生する湿し水供給量状態かを適切に判定して湿し水供給量を調整するので、地汚れの発生を確実に防止することができる。
印刷胴の軸方向に分割された複数のエリア単位で湿し水供給量を調整可能なものの場合、エリア単位に、各インキ色の実網点面積率を求め、各インキ色の汚れを判定した上で、エリア単位で湿し水供給量を調整することにより、より精度良く湿し水調整を行なうことができる（請求項１０，２３）。
【００２５】
また、インキの汚れが判定されると、インキ汚れ発生原因の多くは湿し水供給量不足にあるので、湿し水供給量を所定量だけ増大させることで、インキの地汚れを防止することが可能になる（請求項１１，２４）。
このとき、湿し水供給量が過剰になると、過乳化となって浮き汚れやローラストリッピング現象等の不具合を招くが、湿し水供給量に上限値を設定し、上限値内で湿し水供給量の増大制御を行なうことにより、かかる不具合を回避できる（請求項１２，２５）。
【００２６】
また、湿し水供給量を調整しても、インキ汚れが解消されるまでに時間を要するが、このように、湿し水供給量の調整を一度実施した後に、予め設定された枚数分だけ印刷が行なわれるのを待ってから汚れ判定を実施し、次の湿し水供給量調整を行なえば、湿し水供給量の補正結果を確実に把握した上で、その後の湿し水供給量制御を行なうことになり、適切に制御を実施することができる（請求項１３，２６）。
【発明を実施するための最良の形態】
【００２７】
以下、図面を参照して本発明の実施の形態にかかる印刷物の地汚れ検出方法及び装置並びに印刷機の制御方法及び装置を説明する。
（Ａ）第１実施形態
図１は本発明の第１実施形態にかかる新聞用オフセット輪転機の概略構成を示す図である。本実施形態の新聞用オフセット輪転機は多色刷りの両面印刷機であり、印刷シート８の搬送経路に沿って、インキ色〔墨（ｋ）、藍（ｃ）、紅（ｍ）、黄（ｙ）〕毎に印刷ユニット２ａ，２ｂ，２ｃ，２ｄが設置されている。本実施形態では、印刷ユニット２ａ，２ｂ，２ｃ，２ｄは、インキキー７とインキ元ローラ６からなるインキキー式のインキ供給装置を備えている。この形式のインキ供給装置では、インキキー７のインキ元ローラ６に対する隙間量（以下、この隙間量をインキキー開度という）によりインキ供給量を調整することができる。
【００２８】
また、インキキー７は印刷幅方向に複数並置されており、インキキー７の幅単位（以下、インキキー７によるインキ供給単位幅をキーゾーンという）でインキ供給量を調整することができる。インキキー７により供給量を調整されたインキは、インキローラ群５内で適度に練られ、薄膜を形成した後にインキ着けローラ９を介して版胴４の版面に供給され、版面に付着したインキがブランケット胴３を介して絵柄として印刷シート８に転写される。なお、図１中では省略しているが、本実施形態の新聞用オフセット輪転機は両面刷りなので、各印刷ユニット２ａ，２ｂ，２ｃ，２ｄには、印刷シート８の搬送経路を挟むようにして一対のブランケット胴３，３が備えられ、各ブランケット胴３に対して版胴４やインキ供給装置や湿し水供給装置７０が設けられている。
【００２９】
本実施形態の新聞用オフセット輪転機は、最下流の印刷ユニット２ｄのさらに下流にラインセンサ型ＩＲＧＢ濃度計１を備えている。ラインセンサ型ＩＲＧＢ濃度計１は印刷シート８上の絵柄の色を印刷幅方向ライン状にＩ（赤外光）、Ｒ（赤）、Ｇ（緑）、Ｂ（青）の反射濃度（混色網濃度）として計測する計測器であり、印刷シート８全体の反射濃度を計測したり、任意の位置の反射濃度を計測したりすることが可能である。本実施形態の新聞用オフセット輪転機は両面刷りなので、ラインセンサ型ＩＲＧＢ濃度計１は印刷シート８の搬送経路を挟むようにして表裏両側に配置され、表裏両面の反射濃度を計測できるようになっている。
【００３０】
ラインセンサ型ＩＲＧＢ濃度計１により計測された反射濃度は演算装置１０に送信される。演算装置１０はインキ供給量の制御データを演算する装置としても機能するが、ここでは、地汚れがある場合に、何色のインキによる地汚れであるかを判断し、これに基づいて湿し水供給量Ｑｗを調整するために機能する。
湿し水供給装置７０は、図１，図２に示すように、水元ローラ７１と水往復ローラ７２と水着けローラ７３と水スプレー装置７４とをそなえ、水スプレー装置７４のノズル７４ａから湿し水を水元ローラ７１に噴射することで、水往復ローラ７２，水着けローラ７３を経て、版胴（印刷胴）４に湿し水を供給できるようになっている。水スプレー装置７４のノズル７４ａは、水元ローラ７１の軸方向に延設されたパイプ７５に、水元ローラ７１の軸方向に並んで複数そなえられており、各ノズル７４は、個々に或いは隣接する複数個のノズルをグループとしたクループ毎に噴射量を制御できるようになっている。したがって、版胴４の軸方向に分割された複数のエリア単位で湿し水供給量Ｑｗを調整可能になっている。なお、両端のノズル７４ａの外側にはカバー７６，７６が設けられており、これにより湿し水の機外への飛散が防止されるようになっている。
【００３１】
ここでは、最もシンプルに左右２つのグループに分割され、左側グループ７４Ｌのノズル７４ａと、右側グループ７４Ｒのノズル７４ａとを別個に制御できるようになっており、左右の各湿し水調整ゾーン単位で湿し水供給量Ｑｗを調整できるようになっている。また、湿し水供給量Ｑｗは、具体的には、ノズルからの湿し水噴射量（単位時当たりの噴射量）として制御される。
【００３２】
次に、図３を参照する。図３は本発明の第１実施形態にかかる新聞用オフセット輪転機の絵柄色調制御装置の概略構成を示す図であると同時に、演算装置１０の湿し水供給量調整のための制御機能に着目した機能ブロック図である。
演算装置１０は、印刷機とは離れて設置されたＤＳＰ（ディジタル・シグナル・プロセッサ）１１とＰＣ（パソコン）１２とから構成され、ＰＣ１２には色変換部１４，汚れ判定部１５及び湿し水量設定部１６としての機能が割り当てられている。演算装置１０の入力側には、ラインセンサ型ＩＲＧＢ濃度計１が接続され、出力側には印刷機内蔵の制御装置２０が接続されている。制御装置２０は、版胴４の軸方向に分割された複数のエリア単位で湿し水供給量Ｑｗを調整する湿し水供給量調整手段として機能するものであり、湿し水供給装置７０の水スプレー装置７４の作動を調整することができる。また、演算装置１０には表示装置としてのタッチパネル３０が接続されている。タッチパネル３０にはラインセンサ型ＩＲＧＢ濃度計１で撮像された印刷シート８の印刷面が表示され、印刷面上の任意の領域を指で選択できるようになっている。
【００３３】
図５は演算装置１０による地汚れ判定及びこの判定に基づいて行なう湿し水供給量調整の処理フローを示す図である。以下、図５を中心に演算装置１０による色調制御の処理内容について説明する。
印刷中は、図５に示すステップＳ１０以降の処理を繰り返し実行する。まず、ステップＳ１０として、ラインセンサ型ＩＲＧＢ濃度計１が印刷シート８全面の一画素毎の反射光量ｉ’，ｒ’，ｇ’，ｂ’を計測する。ＩＲＧＢ濃度計１で計測された各画素の反射光量ｉ’，ｒ’，ｇ’，ｂ’はＤＳＰ１１に入力される。
【００３４】
ＤＳＰ１１は、ステップＳ２０として、各画素の反射光量ｉ’，ｒ’，ｇ’，ｂ’について所定の印刷枚数単位で移動平均を行なうことで、ノイズ成分を除去した各画素の反射光量ｉ，ｒ，ｇ，ｂを算出する。
そして、ステップＳ３０として、対象を白紙エリア（非画線部）に特定して、反射光量ｉ，ｒ，ｇ，ｂを湿し水調整ゾーンの各画素毎に処理し、白紙部分の反射光量を基準とする混色網濃度（実混色網濃度）Ｉ，Ｒ，Ｇ，Ｂを演算する。なお、混色網濃度（実混色網濃度）Ｉ，Ｒ，Ｇ，Ｂについては、例えば、白紙部分の赤外光の反射光量をｉｐとし、湿し水調整ゾーン内の赤外光の平均反射光量をｉｋとすると、赤外光の実混色網濃度ＩはＩ＝ｌｏｇ10（ｉｐ／ｉｋ）として求められる。
【００３５】
対象を白紙エリア（非画線部）に特定するのは、画線部では、画線か汚れかを区別し難いためである。つまり、白紙エリアでは、汚れがなければ実混色網濃度は０となるが、汚れがあれば実混色網濃度は正の値となる。したがって、実混色網濃度の値から汚れの有無を判定することができる。
なお、印刷紙の白紙エリアの場所は、製版データから認識することができ、ここでは、ＤＳＰ１１は製版データから印刷紙の白紙エリアの場所を特定し、演算エリア（計測エリア）として自動設定する。この設定は、ＯＫシートが得られた場合、ＯＫシートの画像を見てこれに基づいてマニュアルで設定することもできる。
【００３６】
また、白紙エリア（非画線部）でも絵柄エリア（画線部）に隣接した部分は、印刷紙の高速搬送に伴う検出位置のずれなどに起因して製版データ上では白紙エリアであっても実際には画線部がありこれを検出してしまうおそれがある。そこで、ＤＳＰ１１では、図４に破線で境界を示すように、製版画像５０の白紙エリア（非画線部）５２のうちの絵柄エリア（画線部）５１と所定距離以内に接近した部分を除いて、混色網濃度（実混色網濃度）Ｉ，Ｒ，Ｇ，Ｂを演算するエリア（計測エリア）５３を設定し、この計測エリア５３に対して実混色網濃度を演算（計測）するようにしている。
【００３７】
このようにＤＳＰ１１で演算された白紙エリアの湿し水調整ゾーン毎の実混色網濃度Ｉ，Ｒ，Ｇ，Ｂは、ＰＣ１２の色変換部１４に入力される。色変換部１４は、ステップＳ４０の処理を行なう。ステップＳ４０では、ステップＳ３０で演算された実混色網濃度Ｉ，Ｒ，Ｇ，Ｂに対応する各インキ色の（単色の）網点面積率をそれぞれ演算する。この演算にはデータベース１４１を用い、データベース１４１に記憶された対応関係に基づき、実混色網濃度Ｉ，Ｒ，Ｇ，Ｂに対応する各インキ色の網点面積率を実網点面積率ｋ，ｃ，ｍ，ｙとして演算する。
【００３８】
具体的には、本実施形態に係るデータベース１４１には、下式（１）に示すような各インキ色の網点面積率と混色網濃度との対応関係を規定した公知のノイゲバウアー（Neugebauer）の式自体が記憶されている。
【００３９】
【数１】
2006168348.tif 000003
【００４０】
また、本実施形態では、印刷機（実機）で印刷物の本刷りを行なう前に、予め印刷機でｋ，ｃ，ｍ，ｙの各ベタ（又はベタ濃度値ともいう）、及び、これらベタのｋ，ｃ，ｍ，ｙの何れか２色を重ね合わせたｋｃ，ｋｍ，ｋｙ，ｃｍ，ｃｙ，ｍｙ、及び、これらベタのｋ，ｃ，ｍ，ｙの何れか３色を重ね合わせたｋｃｍ，ｋｃｙ，ｋｍｙ，ｃｍｙ、及び、これらベタのｋ，ｃ，ｍ，ｙの全４色を重ね合わせたｋｃｍｙ、から構成されたカラーチャート（図６参照）を印刷し、この印刷したカラーチャートをＩＲＧＢ濃度計１で実測することによりベタのｋ，ｃ，ｍ，ｙ，ｋｃ，ｋｍ，ｋｙ，ｃｍ，ｃｙ，ｍｙ，ｋｃｍ，ｋｃｙ，ｋｍｙ，ｃｍｙ，ｋｃｍｙに対応する各濃度値Ｄｋ（λ），Ｄｃ（λ），Ｄｍ（λ），Ｄｙ（λ），Ｄｋｃ（λ），Ｄｋｍ（λ），Ｄｋｙ（λ），Ｄｃｍ（λ），Ｄｃｙ（λ），Ｄｍｙ（λ），Ｄｋｃｍ（λ），Ｄｋｃｙ（λ），Ｄｋｍｙ（λ），Ｄｃｍｙ（λ），Ｄｋｃｍｙ（λ）を求め、これら各濃度値Ｄｋ（λ）〜Ｄｋｃｍｙ（λ）の値をノイゲバウアー式に代入しておく。そして、ステップＳ３０で演算された実混色網濃度Ｉ，Ｒ，Ｇ，Ｂをそれぞれノイゲバウアー式のＤａｏ（λ）に代入し、４次元連立非線形方程式を解くことにより実混色網濃度Ｉ，Ｒ，Ｇ，Ｂに対応する各インキ色の実網点面積率ｋ，ｃ，ｍ，ｙを求めるのである。このようにして、演算により実混色網濃度から容易に実網点面積率を求めることができる。また、本実施形態のように、ｋ，ｃ，ｍ，ｙのベタ及び
これらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予めＩＲＧＢ濃度計１を使って求めたベタ濃度値をノイゲバウアー式に代入して構築することで、ベタ濃度値に対応した色空間内で実網点面積率を算出することができる
白紙エリアに汚れ、即ちインキの付着があれば、実混色網濃度の値が０よりも大になって、各インキ色の実網点面積率ｋ，ｃ，ｍ，ｙの何れか１つ又は複数が０よりも大になる。そこで、ステップＳ５０として、汚れ判定部１５では、各インキ色の実網点面積率ｋ，ｃ，ｍ，ｙが予め設定された閾値よりも大きいか（又は閾値以上か）否かを判定して、実網点面積率ｋ，ｃ，ｍ，ｙが閾値よりも大きいものがあれば、そのインキについての汚れがあるものと判定する。また、このとき、湿し水調整ゾーン（左側ノズルグループ７４Ｌのゾーンか、右側ノズルグループ７４Ｒのゾーンか）の何れに汚れがあるかも判別する。
【００４１】
ここで、実網点面積率ｋ，ｃ，ｍ，ｙに関する閾値を小さくするほど薄い色の汚れについても識別することができるが、実混色網濃度から実網点面積率に変換する演算誤差のために、閾値をあまり強くするとインキ汚れの判定精度が低下するので、これらを考慮して閾値を設定することが好ましい。また、閾値は、基本的には各色共通とする。
湿し水量設定部１６は、ステップＳ６０として、汚れ判定部１５で判定された判定結果に基づいて、湿し水供給量Ｑｗを増加補正する。つまり、汚れ判定部１５で汚れがあると判定されたインキの印刷ユニットの湿し水供給装置７０に関して、該当する調整ゾーン（左側ノズルグループ７４Ｌのゾーンか、右側ノズルグループ７４Ｒのゾーンか）の湿し水供給量Ｑｗを予め設定された所定量（一定量）ΔＱｗだけ現状よりも増大させる。具体的には、ノズルからの湿し水噴射量（単位時当たりの噴射量）を所定量だけ増大するように設定する。
【００４２】
ただし、湿し水供給量Ｑｗが過剰になると浮き汚れやローラストリッピング現象等の不具合を招くので、湿し水供給量に上限値ＱｗMAXが設けられており、湿し水量設定部１６
は、湿し水供給量Ｑｗを所定量だけ増大させると上限値を超えてしまう場合には、湿し水供給量Ｑｗをこの上限値ＱｗMAXでクリップするように設定する。
印刷機の制御装置２０は、演算装置１０の湿し水量設定部１６から送信された補正後の湿し水供給量Ｑｗに基づき、湿し水供給装置７０の水スプレー装置７４のノズルからの水噴射量を各調整ゾーン単位で増加側に制御する。
【００４３】
印刷機の制御装置２０では、この湿し水供給量を増加制御後は、増加制御した時点から印刷枚数のカウントを開始し（ステップＳ７０）、印刷枚数Ｎが所定枚数Ｎ１（例えば１００枚〜数１００枚程度）に達するまでは、ステップＳ８０の判定を経て、その状態を維持する（つまり、湿し水供給量を変更しない）ように設定されている。これは、湿し水供給量を調整しても、インキ汚れが解消されるまでに時間を要するためであり、湿し水供給量の補正結果を確実に把握した上で、その後の湿し水供給量制御を行なうようにしている。
【００４４】
本発明の第１実施形態にかかる印刷物の地汚れ検出方法及び装置並びに印刷機の制御方法及び装置は上述のように構成されているので、印刷物に地汚れ（インキ汚れ）があると、複数のインキが重なった汚れが生じた場合であっても、どのインキによる汚れかを容易にしかも確実に判定することができる。
また、印刷物の非画線部（つまり、白紙エリア）に着目して汚れを検出するので、検出精度が高い。特に、印刷物の白紙エリアのうち、画線部に隣接した所定距離内にある部分を除いて計測エリア５３を設定し、実混色網濃度を計測して、各インキ色毎の汚れを判定することにより、隣接する画線部を誤って汚れと判定する不具合を防止することができる。
【００４５】
そして、この判定結果に応じて、対応するインキユニットの湿し水の供給量を制御することによりインキ汚れの発生抑制対策を行なうので、複数のインキが重なった汚れが生じても、どの色の印刷ユニットが地汚れを発生する湿し水供給量状態かを適切に判定して湿し水供給量を調整するので、地汚れの発生を確実に防止することができる。
また、湿し水供給量が過剰になると、過乳化となって浮き汚れやローラストリッピング現象等の不具合を招くが、湿し水供給量に上限値を設定して湿し水量の増加補正を行なうので、かかる不具合を回避できる。
【００４６】
さらに、湿し水の供給量を増加したあとこの効果が現れるのに時間を要するが、所定枚数の印刷がなされてから、つまり、湿し水供給量の増加効果が現れてから、次の地汚れ検出を行なうので、湿し水供給量を過剰に増加させることがなく、適切なフィードバック制御を行なうことができる。
（Ｂ）第２実施形態
次に、本発明の第２実施形態にかかる新聞用オフセット輪転機について説明する。本実施形態は、第１実施形態で説明したステップＳ４０（網点面積率演算ステップ）における処理が異なる。すなわち、前述した第１実施形態では、ベタのカラーチャートをＩＲＧＢ濃度計１で実測することにより各濃度値Ｄｋ（λ）〜Ｄｋｃｍｙ（λ）を求め、これら各濃度値Ｄｋ（λ）〜Ｄｋｃｍｙ（λ）をノイゲバウアー式に代入したが、本実施形態では、ベタではなく、網（ベタよりも小さい網点面積率であり、ここでは一例として網点面積率２５％について説明する）のカラーチャートをＩＲＧＢ濃度計１で実測することにより各濃度値Ｄｋ（λ）〜Ｄｋｃｍｙ（λ）を求め、これら各濃度値Ｄｋ（λ）〜Ｄｋｃｍｙ（λ）をノイゲバウアー式に代入する。
【００４７】
具体的には、本実施形態では、印刷機（実機）で印刷物の本刷りを行なう前に、予め印刷機でｋ，ｃ，ｍ，ｙの各網（又は網濃度値ともいい、ここでは網点面積率２５％の網）、及び、これら網のｋ，ｃ，ｍ，ｙの何れか２色を重ね合わせたｋｃ，ｋｍ，ｋｙ，ｃｍ，ｃｙ，ｍｙ、及び、これら網のｋ，ｃ，ｍ，ｙの何れか３色を重ね合わせたｋｃｍ，ｋｃｙ，ｋｍｙ，ｃｍｙ、及び、これら網のｋ，ｃ，ｍ，ｙの全４色を重ね合わせたｋｃｍｙ、から構成されたカラーチャートを印刷し、この印刷したカラーチャートをＩＲＧＢ濃度計１で実測することにより網のｋ，ｃ，ｍ，ｙ，ｋｃ，ｋｍ，ｋｙ，ｃｍ，ｃｙ，ｍｙ，ｋｃｍ，ｋｃｙ，ｋｍｙ，ｃｍｙ，ｋｃｍｙに対応する各濃度値Ｄｋ（λ），Ｄｃ（λ），Ｄｍ（λ），Ｄｙ（λ），Ｄｋｃ（λ），Ｄｋｍ（λ），Ｄｋｙ（λ），Ｄｃｍ（λ），Ｄｃｙ（λ），Ｄｍｙ（λ），Ｄｋｃｍ（λ），Ｄｋｃｙ（λ），Ｄｋｍｙ（λ），Ｄｃｍｙ（λ），Ｄｋｃｍｙ（λ）を求め、これら各濃度値Ｄｋ（λ）〜Ｄｋｃｍｙ（λ）の値をノイゲバウアー式に代入しておく。そして、ステップＳ３０で演算された実混色網濃度Ｉ，Ｒ，Ｇ，Ｂをそれぞれノイゲバウアー式のＤａｏ（λ）に代入し、４次元連立非線形方程式を解くことにより実混色網濃度Ｉ，Ｒ，Ｇ，Ｂに対応する各インキ色の実網点面積率ｋ，ｃ，ｍ，ｙを求めるのである。このようにして、演算により実混色網濃度から容易に実網点面積率を求めることができる。また、本実施形態のように、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予めＩＲＧＢ濃度計１を使って求めた網濃度値をノイゲバウアー式に代入して構築することで、網濃度値に対応した色空間内で実網点面積率を算出することができる。
【００４８】
ただし、本実施形態のように例えば網点面積率２５％の網のカラーチャートを用いてノイゲバウアー式を構築した場合、前述した第１実施形態のようにベタのカラーチャートを用いてノイゲバウアー式を構築した時の４倍の網点面積率が算出されることになるので、本実施形態では、算出された網点面積率ｋ，ｃ，ｍ，ｙを最後に１／４倍する。
なお、その後の処理は第１実施形態と同様に、汚れ判定部１５が、各インキ色の実網点面積率ｋ，ｃ，ｍ，ｙが予め設定された閾値よりも大きいか（又は閾値以上か）否かを判定して、実網点面積率ｋ，ｃ，ｍ，ｙが閾値よりも大きいものがあれば、そのインキについての汚れがあるものと判定し、湿し水量設定部１６は、汚れ判定部１５で判定された判定結果に基づいて、湿し水供給量Ｑｗを増加補正する。
【００４９】
このような本実施形態によれば、第１実施形態と同様の効果が得られる。また、第１実施形態に比べて地汚れ検出の感度を上げることが可能となる。即ち、第１実施形態で説明したベタ濃度値に対応した色空間よりも小さい色空間内で実網点面積率を算出することができ、本実施形態では検出感度が第１実施形態の検出感度の４倍になるため、より薄い地汚れも検出できる。第１実施形態でも閾値を低く設定しておけば、地汚れが非常に薄くても検出することが可能であるが、閾値を例えば網点面積率１％にした場合には濃度換算で約０．０５Ｄ（Density）という非常に小さな値となるため、この場合、このような小さな濃度変化を正確に検出できなかったり検出誤差が大きくなったりするおそれがあり、誤って違う色の湿し水量を増加させてしまうことも考えられる。これに対して、本実施形態では、閾値を低く設定する代わりに、予めベタよりも小さい網点面積率の網のカラーチャートを用いてノイゲバウアー式を構築することで、誤検出を防止できるようになるとともに、薄い地汚れでも正確に検出することができるようになる。
【００５０】
なお、本実施形態では、網点面積率２５％の網のカラーチャートを用いてノイゲバウアー式を構築したが、カラーチャートはベタよりも小さな値の網点面積率であればよく、所望の検出感度に応じて適宜の網点面積率の網のカラーチャートを用いてノイゲバウアー式を構築すればよい。例えば、網点面積率５０％の網のカラーチャートを用いてノイゲバウアー式を構築した場合には第１実施形態に比べて検出感度が２倍となり、また、網点面積率１０％の網のカラーチャートを用いてノイゲバウアー式を構築した場合には第１実施形態に比べて検出感度が１０倍となる。
【００５１】
（Ｃ）第３実施形態
次に、本発明の第３実施形態にかかる新聞用オフセット輪転機について説明する。本実施形態は、第１実施形態で説明したステップＳ４０（網点面積率演算ステップ）における処理が異なる。すなわち、前述した第１実施形態に係るデータベース１４１にはノイゲバウアー式が記憶されていたが、本実施形態に係るデータベース１４１には、下式（２）に示すように公知のユールニールセン（Yule-Nielsen）の式を取り込んだ拡張ノイゲバウアー式が記憶されている。
【００５２】
【数２】
2006168348.tif 000004
【００５３】
なお、式（２）中の他の記号は第１実施形態の式（１）と同様であるので省略する。
また、本実施形態では、第１実施形態と同様に、印刷機（実機）で印刷物の本刷りを行なう前に、予め印刷機でｋ，ｃ，ｍ，ｙの各ベタ（又はベタ濃度値ともいう）、及び、これらベタのｋ，ｃ，ｍ，ｙの何れか２色を重ね合わせたｋｃ，ｋｍ，ｋｙ，ｃｍ，ｃｙ，ｍｙ、及び、これらベタのｋ，ｃ，ｍ，ｙの何れか３色を重ね合わせたｋｃｍ，ｋｃｙ，ｋｍｙ，ｃｍｙ、及び、これらベタのｋ，ｃ，ｍ，ｙの全４色を重ね合わせたｋｃｍｙ、から構成されたカラーチャート（図６参照）を印刷し、この印刷したカラーチャートをＩＲＧＢ濃度計１で実測することによりベタのｋ，ｃ，ｍ，ｙ，ｋｃ，ｋｍ，ｋｙ，ｃｍ，ｃｙ，ｍｙ，ｋｃｍ，ｋｃｙ，ｋｍｙ，ｃｍｙ，ｋｃｍｙに対応する各濃度値Ｄｋ（λ），Ｄｃ（λ），Ｄｍ（λ），Ｄｙ（λ），Ｄｋｃ（λ），Ｄｋｍ（λ），Ｄｋｙ（λ），Ｄｃｍ（λ），Ｄｃｙ（λ），Ｄｍｙ（λ），Ｄｋｃｍ（λ），Ｄｋｃｙ（λ），Ｄｋｍｙ（λ），Ｄｃｍｙ（λ），Ｄｋｃｍｙ（λ）を求め、これら各濃度値Ｄｋ（λ）〜Ｄｋｃｍｙ（λ）の値を拡張ノイゲバウアー式に代入しておく。そして、ステップＳ３０で演算された実混色網濃度Ｉ，Ｒ，Ｇ，Ｂをそれぞれ拡張ノイゲバウアー式のＤａｏ（λ）に代入し、また、ｎには例えば網点面積率と混色網濃度値の関係がほぼ線形となるような値を代入して、４次元連立非線形方程式を解くことにより実混色網濃度Ｉ，Ｒ，Ｇ，Ｂに対応する各インキ色の実網点面積率ｋ，ｃ，ｍ，ｙを求めるのである。このようにして、演算により実混色網濃度から容易に実網点面積率を求めることができる。また、本実施形態のように、拡張ノイゲバウアー式が、ｋ，ｃ，ｍ，ｙのベタ及びこれらｋ，ｃ，ｍ，ｙのベタを重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予めＩＲＧＢ濃度計１を使って求めたベタ濃度値が代入されて構築されていれば、ベタ濃度値に対応した色空間内で実網点面積率を算出することができる。
【００５４】
なお、その後の処理は第１実施形態と同様に、汚れ判定部１５が、各インキ色の実網点面積率ｋ，ｃ，ｍ，ｙが予め設定された閾値よりも大きいか（又は閾値以上か）否かを判定して、実網点面積率ｋ，ｃ，ｍ，ｙが閾値よりも大きいものがあれば、そのインキについての汚れがあるものと判定し、湿し水量設定部１６は、汚れ判定部１５で判定された判定結果に基づいて、湿し水供給量Ｑｗを増加補正する。
【００５５】
このような本実施形態によれば、第１実施形態と同様の効果が得られる。また、第１実施形態のようにベタのカラーチャートを用いてノイゲバウアー式を構築した場合であって、濃い地汚れが発生した場合、演算により求められる網点面積率が１００％以上になるとノイゲバウアー式の右辺が負の値となり４次元連立非線形方程式の解が存在しなくなるおそれがあるが、本実施形態では、ノイゲバウアー式にユールニールセン式を取り込んだ拡張ノイゲバウアー式を用いているので、濃い地汚れが発生した場合、演算により求められる網点面積率が１００％以上になっても４次元連立非線形方程式の解が存在し、正確な実網点面積率を算出することができる。
【００５６】
（Ｄ）第４実施形態
次に、本発明の第４実施形態にかかる新聞用オフセット輪転機について説明する。本実施形態は、第１実施形態で説明したステップＳ４０（網点面積率演算ステップ）における処理が異なる。すなわち、前述した第１実施形態に係るデータベース１４１にはノイゲバウアー式が記憶されていたが、本実施形態に係るデータベース１４１には、前述した第３実施形態と同様に、式（２）に示すように公知のユールニールセン（Yule-Nielsen）の式を取り込んだ拡張ノイゲバウアー式が記憶されている。
【００５７】
また、本実施形態では、ベタではなく、網（ベタよりも小さい網点面積率であり、ここでは一例として網点面積率２５％について説明する）のカラーチャートをＩＲＧＢ濃度計１で実測することにより各濃度値Ｄｋ（λ）〜Ｄｋｃｍｙ（λ）を求め、これら各濃度値Ｄｋ（λ）〜Ｄｋｃｍｙ（λ）を拡張ノイゲバウアー式に代入する。
具体的には、本実施形態では、印刷機（実機）で印刷物の本刷りを行なう前に、予め印刷機でｋ，ｃ，ｍ，ｙの各網（又は網濃度値ともいい、ここでは網点面積率２５％の網）、及び、これら網のｋ，ｃ，ｍ，ｙの何れか２色を重ね合わせたｋｃ，ｋｍ，ｋｙ，ｃｍ，ｃｙ，ｍｙ、及び、これら網のｋ，ｃ，ｍ，ｙの何れか３色を重ね合わせたｋｃｍ，ｋｃｙ，ｋｍｙ，ｃｍｙ、及び、これら網のｋ，ｃ，ｍ，ｙの全４色を重ね合わせたｋｃｍｙ、から構成されたカラーチャートを印刷し、この印刷したカラーチャートをＩＲＧＢ濃度計１で実測することにより網のｋ，ｃ，ｍ，ｙ，ｋｃ，ｋｍ，ｋｙ，ｃｍ，ｃｙ，ｍｙ，ｋｃｍ，ｋｃｙ，ｋｍｙ，ｃｍｙ，ｋｃｍｙに対応する各濃度値Ｄｋ（λ），Ｄｃ（λ），Ｄｍ（λ），Ｄｙ（λ），Ｄｋｃ（λ），Ｄｋｍ（λ），Ｄｋｙ（λ），Ｄｃｍ（λ），Ｄｃｙ（λ），Ｄｍｙ（λ），Ｄｋｃｍ（λ），Ｄｋｃｙ（λ），Ｄｋｍｙ（λ），Ｄｃｍｙ（λ），Ｄｋｃｍｙ（λ）を求め、これら各濃度値Ｄｋ（λ）〜Ｄｋｃｍｙ（λ）の値を拡張ノイゲバウアー式に代入しておく。そして、ステップＳ３０で演算された実混色網濃度Ｉ，Ｒ，Ｇ，Ｂをそれぞれ拡張ノイゲバウアー式のＤａｏ（λ）に代入し、また、係数ｎには例えば網点面積率と混色網濃度値の関係がほぼ線形となるような値を代入して、４次元連立非線形方程式を解くことにより実混色網濃度Ｉ，Ｒ，Ｇ，Ｂに対応する各インキ色の実網点面積率ｋ，ｃ，ｍ，ｙを求めるのである。このようにして、演算により実混色網濃度から容易に実網点面積率を求めることができる。また、本実施形態のように、ｋ，ｃ，ｍ，ｙの網及びこれらｋ，ｃ，ｍ，ｙの網を重ね合わせたｋｃ，ｋｍ，ｋｙ，ｃｍ，ｃｙ，ｍｙ，ｋｃｍ，ｋｃｙ，ｋｍｙ，ｃｍｙ，ｋｃｍｙから構成されたカラーチャートを予めＩＲＧＢ濃度計１を使って求めた網濃度値を拡張ノイゲバウアー式に代入して構築することで、網濃度値に対応した色空間内で実網点面積率を算出することができる。
【００５８】
ただし、本実施形態のように例えば網点面積率２５％の網のカラーチャートを用いて拡張ノイゲバウアー式を構築した場合、前述した第１実施形態のようにベタのカラーチャートを用いてノイゲバウアー式を構築した時の４倍の網点面積率が算出されることになるので、本実施形態では、算出された網点面積率ｋ，ｃ，ｍ，ｙを最後に１／４倍する。
なお、その後の処理は第１実施形態と同様に、汚れ判定部１５が、各インキ色の実網点面積率ｋ，ｃ，ｍ，ｙが予め設定された閾値よりも大きいか（又は閾値以上か）否かを判定して、実網点面積率ｋ，ｃ，ｍ，ｙが閾値よりも大きいものがあれば、そのインキについての汚れがあるものと判定し、湿し水量設定部１６は、汚れ判定部１５で判定された判定結果に基づいて、湿し水供給量Ｑｗを増加補正する。
【００５９】
このような本実施形態によれば、第１実施形態と同様の効果が得られる。また、第１実施形態に比べて地汚れ検出の感度を上げることが可能となる。即ち、第１実施形態で説明したベタ濃度値に対応した色空間よりも小さい色空間内で実網点面積率を算出することができ、本実施形態では検出感度が第１実施形態の検出感度の４倍になるため、より薄い地汚れも検出できる。第１実施形態でも閾値を低く設定しておけば、地汚れが非常に薄くても検出することが可能であるが、閾値を例えば網点面積率１％にした場合には濃度換算で約０．０５Ｄ（Density）という非常に小さな値となるため、この場合、このような小さな濃度変化を正確に検出できなかったり検出誤差が大きくなったりするおそれがあり、誤って違う色の湿し水量を増加させてしまうことも考えられる。これに対して、本実施形態では、閾値を低く設定する代わりに、予めベタよりも小さい網点面積率の網のカラーチャートを用いて拡張ノイゲバウアー式を構築することで、誤検出を防止できるようになるとともに、薄い地汚れでも正確に検出することができるようになる。
【００６０】
また、第１実施形態のノイゲバウアー式を、本実施形態で説明した網点面積率２５％の網のカラーチャートを用いて構築（即ち、第２実施形態）しても、薄い地汚れを正確に検出することができるが、逆に濃い地汚れが発生した場合、演算により求められる網点面積率が１００％以上になるとノイゲバウアー式の右辺が負の値となり４次元連立非線形方程式の解が存在しなくなるおそれがあるが、本実施形態では、ノイゲバウアー式にユールニールセン式を取り込んだ拡張ノイゲバウアー式を用いているので、濃い地汚れが発生した場合、演算により求められる網点面積率が１００％以上になっても４次元連立非線形方程式の解が存在し、正確な網点面積率を算出することができる
なお、本実施形態では、網点面積率２５％の網のカラーチャートを用いて拡張ノイゲバウアー式を構築したが、カラーチャートはベタよりも小さな値の網点面積率であればよく、所望の検出感度に応じて適宜の網点面積率の網のカラーチャートを用いて拡張ノイゲバウアー式を構築すればよい。例えば、網点面積率１０％の網のカラーチャートを用いて拡張ノイゲバウアー式を構築した場合には第１実施形態に比べて検出感度が１０倍となり、また、網点面積率５０％の網のカラーチャートを用いて拡張ノイゲバウアー式を構築した場合には第１実施形態に比べて検出感度が２倍となる。
（Ｅ）その他
以上、本発明の実施形態について説明したが、本発明の実施の形態は上記のものに限定されない。
【００６１】
例えば、上記実施形態では、湿し水供給ゾーンを左右２つに区分しているが、より多く区分しても良く、この場合、より綿密に湿し水量を調整できる。又は、湿し水供給ゾーンを区分しなくても、各印刷ユニット単位で大まかに湿し水量を制御するようにしても、制御精度は高くはないがよりシンプルな制御となる。
さらに、湿し水供給装置は上記実施形態のタイプに限定されない。
【００６２】
また、印刷物の地汚れ検出方法及び装置に着目すれば、湿し水の増加制御に限定せずに、他の地汚れ原因対策の制御に用いることもできる。
また、上記実施形態では、汚れが判定されると、湿し水供給量を一定量だけ増大させるようにしているが、汚れの程度に応じて湿し水供給量の増加補正量を変更しても良い。つまり、汚れの程度のパラメータとして、実網点面積率ｋ，ｃ，ｍ，ｙを用いることができ、色変換部１４で演算された実網点面積率ｋ，ｃ，ｍ，ｙが大きいほど増大補正量を大きくして（ただし、上限値内）、湿し水量を増大補正する。この場合、より速やかに、地汚れを解消できる可能性がある。
【００６３】
また、上記実施形態では、ラインセンサ型のＩＲＧＢ濃度計を用いているが、スポット型のＩＲＧＢ濃度計を用いて印刷シート上を２次元的に走査するようにしてもよい。
また、上記実施形態では、所定の網点面積率（例えば第１，３実施形態ではベタ、第２，４実施形態では２５％）で印刷したカラーチャートを用いたが、この代わりに、ＩＳＯ／ＴＣ１３０国内委員会が制定した新聞印刷Ｊａｐａｎ  Ｃｏｌｏｒ（ＩＳＯ１２６４２）のデータを使って印刷したカラーチャートを用いてもよい。新聞印刷Ｊａｐａｎ  Ｃｏｌｏｒ（ＩＳＯ１２６４２）のデータには、ベタや複数の網点面積率に関するデータが入っているため、この新聞印刷Ｊａｐａｎ  Ｃｏｌｏｒ（ＩＳＯ１２６４２）のデータを使用すれば、網点面積率０％から１００％までの複数のカラーチャート（例えば１０％，２０％…などと１０％毎のカラーチャート）を一度に作成できる。そして、このようなカラーチャートをＩＲＧＢ濃度計１で一回実測しておけば、複数の網点面積率のそれぞれに対応した各濃度値Ｄｋ（λ）〜Ｄｋｃｍｙ（λ）を求めることができ、これにより、これら各網点面積率と各濃度値Ｄｋ（λ）〜Ｄｋｃｍｙ（λ）との対応関係を規定した変換テーブル（ＬＵＴ：Look Up Tableともいう）を得ることができ
る。したがって、この変換テーブルをデータベース１４１に記憶させておけば、所望の網点面積率に対応する濃度値Ｄｋ（λ）〜Ｄｋｃｍｙ（λ）を適宜選択してノイゲバウアー式或いは拡張ノイゲバウアー式に代入することが可能になるため、印刷物の印刷毎にカラーチャートを印刷してＩＲＧＢ濃度計で実測する必要がなくなり、地汚れ検出のための前処理時間を短縮することができる。つまり、より容易に地汚れ検出を行える。
【００６４】
さらに、客先によっては「地汚れ」とみなす基準が異なる場合があるが、この場合には、客先から指摘された実際の印刷物の地汚れをＩＲＧＢ濃度計で実測して地汚れの混色網濃度Ｉ，Ｒ，Ｇ，Ｂを求め、この混色網濃度Ｉ，Ｒ，Ｇ，Ｂを、ベタや網で構築したノイゲバウアー式又は拡張ノイゲバウアー式に代入して網点面積率ｋ，ｃ，ｍ，ｙを求め、この網点面積率ｋ，ｃ，ｍ，ｙを閾値として設定しておけばよい。このようにすれば、客先の地汚れに対する基準に応じた地汚れ検出を行なうことができる。
【図面の簡単な説明】
【００６５】
【図１】本発明の第１実施形態にかかる新聞用オフセット輪転機の概略構成を示す図である。
【図２】本発明の第１実施形態にかかる湿し水供給量調整装置を示す模式図である。
【図３】本発明の第１実施形態にかかる演算装置の湿し水供給量制御に着目した機能ブロック図である。
【図４】本発明の第１実施形態にかかる地汚れ検出について説明する製版画像の模式図である。
【図５】本発明の第１実施形態にかかる地汚れ検出及び湿し水供給量制御の処理フローを示すフローチャートである。
【図６】本発明の第１実施形態にかかるカラーチャートを示す模式図である。
【図７】本発明にかかる課題を説明する印刷画像の模式図である。
【符号の説明】
【００６６】
１  ラインセンサ型ＩＲＧＢ濃度計
２ａ，２ｂ，２ｃ，２ｄ  印刷ユニット
３  ブランケット胴
４  版胴
５  インキローラ群
６  インキ元ローラ
７  インキキー
８  印刷シート
９  インキ着けローラ
１０  演算装置
１１  ＤＳＰ
１２  ＰＣ
１４  色変換部
１５  汚れ判定部
１６  湿し水量設定部
２０  印刷機内蔵の制御装置
３０  タッチパネル
７０  湿し水供給装置
７４  水スプレー装置
【図１】
2006168348.tif 000005
【図２】
2006168348.tif 000006
【図３】
2006168348.tif 000007
【図４】
2006168348.tif 000008
【図５】
2006168348.tif 000009
【図６】
2006168348.tif 000010
【図７】
2006168348.tif 000011